(57)【特許請求の範囲】
【請求項１】
媒体に対して液体を噴射可能な液体噴射部と、
液体を注入可能な注入部及び前記液体噴射部に向けて液体を導出可能な導出部を有するアダプターと、
前記アダプターが装着される装着部と、
前記液体噴射部及び前記装着部を収容する筐体部と、
前記媒体を載置可能な載置部と、を備え、
前記装着部は、前記アダプターが前記装着部に装着された状態において、前記装着部内の上部に前記注入部を収容する空間を有し、
前記載置部は、前記筐体部の外で前記載置部に前記媒体を載置するための載置位置に移動可能であり、
前記注入部は、前記載置部より鉛直下側に配置されていることを特徴とする液体噴射装置。
【請求項２】
前記装着部は前記アダプターを装着するための装着口を有し、前記装着口を覆うように開閉可能なカバー部材を更に備えることを特徴とする請求項１に記載の液体噴射装置。
【請求項３】
前記載置位置は、前記筐体部に対して前記装着口が開口する側にあり、
前記装着口を露出する開状態の前記カバー部材は、鉛直上方から見たとき、前記載置位置にある前記載置部と重ならない位置にあることを特徴とする請求項２に記載の液体噴射装置。
【請求項４】
前記装着部の前記空間は、前記アダプターの前記装着口側よりも装着方向側が狭くなるように形成されていることを特徴とする請求項２又は３に記載の液体噴射装置。
【請求項５】
前記アダプターは液体を貯留可能な液体貯留部を更に有し、
前記注入部は、前記アダプターの上面から鉛直上方に向けて突出することを特徴とする請求項１乃至４の何れか一項に記載の液体噴射装置。
【請求項６】
請求項１乃至５の何れか一項に記載の液体噴射装置に装着可能なアダプターと、
前記注入部に先端側が接続される液体供給管と、
前記液体供給管の基端側が接続される液体貯留体と、を備え、
前記液体供給管及び前記アダプターを介して前記液体貯留体に貯留された液体を前記液体噴射部に供給することを特徴とする液体供給システム。
【発明の詳細な説明】
【技術分野】
【０００１】
本発明は、プリンターなどの液体噴射装置、同液体噴射装置に装着されるアダプター及び同アダプターを備える液体供給システムに関する。
【背景技術】
【０００２】
液体噴射装置の一例として、液体であるインクを継ぎ足すことのできるメインタンクと、インクを噴射可能な記録ヘッドとを備えて、メインタンクから供給されたインクを記録ヘッドから用紙に噴射することで印刷を行うインクジェット式のプリンターがある（例えば、特許文献１）。
【先行技術文献】
【特許文献】
【０００３】
【特許文献１】特開２００８−３７０９７号公報
【発明の概要】
【発明が解決しようとする課題】
【０００４】
ところで、上述のメインタンクにはインクを継ぎ足すための注入部を設けることになるが、こうした注入部には、インクを継ぎ足す際にこぼれたインクなどが付着しやすい。そのため、例えば用紙を記録ヘッドに向けて移動させながら印刷を行う場合に、移動する用紙が注入部に接触すると汚れてしまうという課題がある。
【０００５】
なお、こうした課題は、用紙に対して印刷を行うインクジェット式のプリンターに限らず、移動する媒体に対して液体を噴射する液体噴射装置においては、概ね共通したものとなっている。
【０００６】
本発明は、こうした実情に鑑みてなされたものであり、その目的は、液体の注入部と液体が噴射される媒体との接触を抑制することができる液体噴射装置、アダプター及び液体供給システムを提供することにある。
【課題を解決するための手段】
【０００７】
以下、上記課題を解決するための手段及びその作用効果について記載する。
上記課題を解決する液体噴射装置は、媒体に対して液体を噴射可能な液体噴射部と、液体を注入可能な注入部及び前記液体噴射部に向けて液体を導出可能な導出部を有するアダプターと、前記アダプターが装着される装着部と、前記液体噴射部及び前記装着部を収容する筐体部と、前記媒体を載置可能な載置部と、を備え、前記装着部は、前記アダプターが前記装着部に装着された状態において、前記装着部内の上部に前記注入部を収容する空間を有し、前記載置部は、前記筐体部の外で前記載置部に前記媒体を載置するための載置位置に移動可能であり、前記注入部は、前記載置部より鉛直下側に配置されている。
上記課題を解決する液体噴射装置は、媒体に対して液体を噴射可能な液体噴射部と、液体を注入可能な注入部及び前記液体噴射部に向けて液体を導出可能な導出部を有するアダプターと、前記アダプターを装着するための装着口を有し、前記アダプターが装着される装着部と、前記装着口を覆うように開閉可能なカバー部材と、前記液体噴射部及び前記装着部を収容する筐体部と、前記筐体部に対して前記装着口が開口する側において前記媒体を載置可能な載置部と、を備え、前記装着部は、前記アダプターが前記装着部に装着された状態において、前記装着部内の上部に前記注入部を収容する空間を有し、前記装着口を露出する開状態の前記カバー部材は、鉛直上方から見たとき、前記載置部と重ならない位置にある。
上記課題を解決する液体噴射装置は、媒体を載置した状態で移動可能な載置部と、前記載置部に載置された前記媒体に対して液体を噴射可能な液体噴射部と、液体を注入可能な注入部及び前記液体噴射部に向けて液体を導出可能な導出部を有するアダプターと、を備え、前記アダプターの前記注入部は、鉛直方向において、前記載置部より下側に配置される。
【０００８】
上記構成によれば、アダプターは液体を注入可能な注入部及び液体を導出可能な導出部を有するので、注入部を通じて液体を注入することによって、アダプターを介して液体噴射部に液体を供給することができる。そして、アダプターの注入部は、鉛直方向において、媒体を載置する載置部よりも下側に配置されるので、媒体が載置部とともに移動する場合にも、注入部に接触しにくい。したがって、液体の注入部と液体が噴射される媒体との接触を抑制することができる。
【０００９】
上記液体噴射装置は、前記液体噴射部を収容する筐体部と、前記アダプターを装着可能な装着部と、を備え、前記アダプターは、前記注入部から注入された液体を貯留する液体貯留部と、前記装着部に装着された場合に前記筐体部の外側に突出する突出部とを有し、前記注入部は前記突出部に配置されている。
【００１０】
この構成によれば、アダプターは、装着部に装着された場合に筐体部の外側に突出する突出部を有するので、この突出部に液体貯留部を配置することにより、筐体部の大きさに制約を受けることなく液体貯留部を大きくして、より多くの液体を貯留することができる。また、注入部はアダプターの突出部に配置されているので、筐体部の外から注入部に液体を注入しやすい。
【００１１】
上記液体噴射装置において、前記装着部は、前記載置部の移動方向及び鉛直方向の双方と交差する方向において前記載置部と異なる位置に配置され、前記アダプターが前記装着部に装着された場合に、前記突出部は前記筐体部から前記移動方向に沿う方向に突出するとともに、前記注入部は前記突出部から鉛直方向上方に向けて突出する。
【００１２】
この構成によれば、装着部は載置部の移動方向及び鉛直方向の双方と交差する方向において載置部と異なる位置に配置されるので、移動方向に沿う方向に突出するアダプターの突出部と、載置部とともに移動する媒体との接触を抑制することができる。また、注入部はアダプターの突出部に配置されているので、注入部と媒体との接触を抑制することができるとともに、注入部と筐体部との干渉が抑制される。さらに、注入部は突出部から鉛直方向上方に向けて突出しているので、液体貯留部の上部まで液体を満たすように液体を注入することができるとともに、液体貯留部の上部まで液体が入った状態でアダプターが振動した場合にも、注入部から液体がこぼれにくい。
【００１３】
上記液体噴射装置において、前記載置部は、前記筐体部の外で前記載置部に前記媒体を載置するための載置位置に移動可能であり、前記載置部が前記載置位置にあるときに、前記注入部は前記載置部よりも前記筐体部に近い位置にある。
【００１４】
この構成によれば、載置部が筐体部の外となる載置位置にあるときに、注入部は載置部よりも筐体部に近い位置にあるので、筐体部の外で載置部に媒体を載置する作業を行うときに、筐体部の外にある注入部と媒体とが接触しにくい。
【００１５】
上記液体噴射装置は、液体を収容可能な液体収容体が着脱可能に装着される装着部と、前記液体噴射部及び前記装着部を収容する筐体部と、を備え、前記筐体部内において前記装着部の上部には前記装着部に装着された前記液体収容体を操作するための操作空間が設けられ、前記装着部には、前記アダプターを装着可能であり、前記アダプターが前記装着部に装着された場合に、前記注入部は前記操作空間に配置される。
【００１６】
この構成によれば、装着部に液体収容体を装着すれば、液体収容体に収容された液体を液体噴射部に供給することができる。そして、装着部の上部には、装着部に装着された液体収容体を操作するための操作空間が設けられているので、この操作空間において液体収容体の着脱等の操作を行うことができる。また、装着部にアダプターを装着すれば、アダプターを通じて液体噴射部に液体を供給することができる。そして、アダプターが装着部に装着された場合には、注入部が操作空間に配置されるので、操作空間を通じて注入部に液体を注入することができる。
【００１７】
上記課題を解決するアダプターは、媒体を載置した状態で移動可能な載置部と、前記載置部に載置された前記媒体に対して液体を噴射可能な液体噴射部と、を備える液体噴射装置に装着可能なアダプターであって、前記アダプターは、液体を注入可能な注入部と、液体を前記液体噴射部に向けて導出可能な導出部とを有し、前記液体噴射装置に装着された場合に、前記注入部が、鉛直方向において、前記載置部より下側に配置される。
【００１８】
この構成によれば、上記液体噴射装置と同様の作用効果を得ることができる。
上記課題を解決する液体供給システムは、上記アダプターと、前記注入部に先端側が接続される液体供給管と、前記液体供給管の基端側が接続される液体貯留体と、を備え、前記液体供給管及び前記アダプターを介して前記液体貯留体に貯留された液体を前記液体噴射部に供給する。
【００１９】
この構成によれば、液体貯留体に基端側が接続された液体供給管の先端側を注入部に接続することによって、液体貯留体からアダプターに液体を注入しながら、液体の噴射を継続することができる。そして、アダプターの注入部は、鉛直方向において、載置部より下側に配置されるので、媒体が注入部と接触しにくい。したがって、液体の注入部と媒体との接触を抑制することができる。
【図面の簡単な説明】
【００２０】
【図１】一実施形態の液体収容体、アダプター及び液体噴射装置の斜視図。
【図２】一実施形態のアダプターが装着された液体噴射装置の断面図。
【図３】一実施形態のアダプターを備える液体供給システムの正面図。
【発明を実施するための形態】
【００２１】
以下、液体噴射装置の実施形態について、図を参照して説明する。液体噴射装置は、例えば、用紙などの媒体に液体の一例であるインクを噴射することによって記録（印刷）を行うプリンターである。
【００２２】
図１に示すように、本実施形態の液体噴射装置１１は、略矩形箱状の筐体部１２と、筐体部１２から突設された収容部１３と、媒体Ｓを載置した状態で移動可能な載置部１４と、載置部１４を移動させるための搬送部１５とを備えている。
【００２３】
なお、本実施形態では、筐体部１２から収容部１３が突出する方向を後方といい、筐体部１２から搬送部１５が突出する方向を前方という。そして、筐体部１２と収容部１３とが並ぶ前後方向に沿って搬送部１５が載置部１４を移動させる方向を移動方向Ｙとして図示する。また、鉛直方向に沿う上下方向Ｚ及び移動方向Ｙの双方と交差（本実施形態では直交）する方向であって、筐体部１２の長手方向となる方向を幅方向Ｘとして図示する。
【００２４】
筐体部１２の前面側には、移動方向Ｙに沿う移動に伴って載置部１４が筐体部１２に出入りすることを許容する開口部１６が形成されている。また、筐体部１２及び収容部１３の内部には、載置部１４の移動方向Ｙに沿う移動を許容する空間が筐体部１２及び収容部１３に亘って形成されている。
【００２５】
載置部１４は、図１及び図２に実線で示す載置位置と、図１及び図２に二点鎖線で示す印刷開始位置との間を移動方向Ｙに沿って往復移動する。なお、載置位置とは、筐体部１２の外で載置部１４に媒体Ｓを載置するための位置であり、印刷開始位置とは、印刷のために載置部１４を液体噴射部２３に向けて移動させる前に一時的に停止させる位置である。そして、載置部１４が印刷開始位置にあるとき、載置部１４の後端側は収容部１３内に配置される。
【００２６】
筐体部１２内には、幅方向Ｘに沿って延びるガイド軸２１が設けられている。ガイド軸２１には、キャリッジ２２が幅方向Ｘに移動可能な状態で支持されている。そして、キャリッジ２２は、図示しない駆動源の駆動に伴って、幅方向Ｘに沿う主走査方向に往復移動する。
【００２７】
キャリッジ２２には、筐体部１２内において載置部１４に載置された媒体Ｓに対してインクなどの液体を噴射可能な液体噴射部２３が搭載されている。そして、液体噴射部２３は、載置部１４とともに印刷開始位置から前方に向けて移動する媒体Ｓに対して液体を噴射することで、媒体Ｓに印刷を行う。
【００２８】
開口部１６の上方には、液体噴射装置１１の動作に関する命令を入力する入力パネル１８が取り付けられている。また、入力パネル１８の後方には、ユーザーがメンテナンスの際に筐体部１２内にアクセスするための開口部を覆う上カバー１９が回動可能に設けられている。上カバー１９は、基端側に設けられた図示しない回動軸を中心に回動することで、ユーザーが筐体部１２内にアクセス可能な図１に示す開位置と、図２に示す閉位置とに配置される。
【００２９】
筐体部１２の前面側において幅方向Ｘで開口部１６の両側となる位置には、開閉カバー１７が回動可能に取り付けられている。開閉カバー１７は、その下端側に設けられた図示しない回動軸を中心に上端側が揺動するように回動することで、図１に示す閉位置と、図２に示す開位置とに配置される。
【００３０】
図２に示すように、筐体部１２には、鉛直方向及び移動方向Ｙの双方と交差する幅方向Ｘにおいて載置部１４と異なる位置であって、開閉カバー１７の後方となる位置に、装着部２５が収容されている。装着部２５には、液体噴射部２３に供給する液体を収容可能な液体収容体３０とアダプター４０とが交換可能かつ着脱可能に装着される。
【００３１】
装着部２５は、開閉カバー１７が開位置に配置されると視認可能な状態になる。なお、本実施形態において、装着部２５は筐体部１２の幅方向Ｘにおける両側に設けられるが、筐体部１２の幅方向Ｘにおける一方側のみに装着部２５を設けてもよい。また、装着部２５に装着可能な液体収容体３０及びアダプター４０の数は、任意に変更することができる。
【００３２】
装着部２５は前方に向けて開口している。そして、液体収容体３０及びアダプター４０は、装着部２５の開口から挿入された後、後方に向けて移動することで装着部２５に装着される。また、装着部２５に装着された液体収容体３０及びアダプター４０は、装着部２５から前方に向けて移動することで装着部２５から取り外される。
【００３３】
装着部２５は、筐体部１２の奥側となる後部に接続部２６を備えている。液体収容体３０は、装着部２５に装着されるときに接続部２６に接続されて、収容した液体を液体噴射部２３に向けて導出可能な導出部３４を有している。また、アダプター４０は、装着部２５に装着されるときに接続部２６に接続されて、液体を液体噴射部２３に向けて導出可能な導出部４４を有している。
【００３４】
図３に示すように、アダプター４０は、略矩形箱状のケース部材４１と、ケース部材４１内において液体を貯留可能な液体貯留部４３と、液体貯留部４３に液体を注入可能な注入部４２とを有する。したがって、アダプター４０の液体貯留部４３に貯留された液体が少なくなった場合には、注入部４２を通じて液体貯留部４３に液体を注入することで、液体を補充することができる。
【００３５】
アダプター４０の注入部４２は、ケース部材４１の上面から鉛直方向上方に向けて突出するように設けられているとともに、液体貯留部４３に連通している。そして、装着部２５に装着されたアダプター４０の注入部４２は、鉛直方向において、載置部１４より下側に配置される。
【００３６】
液体収容体３０は、略矩形箱状のケース部材３１と、ケース部材３１内において液体を収容可能な液体収容部３３とを備えるが、液体収容部３３に液体を注入するための注入部は備えない。したがって、装着部２５に装着された液体収容体３０は、液体収容部３３に収容した液体がなくなった場合には、液体を収容した別の液体収容体３０に交換される。なお、液体収容体３０のケース部材３１には、装着部２５に装着された場合に前側となる部分の上部に、装着部２５に対する着脱操作を行う際に指を掛けることができる指掛け凹部３５が形成されている（図１を併せて参照）。
【００３７】
図１及び図２に示すように、装着部２５には、筐体部１２の奥行方向となる移動方向Ｙにおける長さが異なる液体収容体３０及びアダプター４０が交換可能に装着される。
図２に示すように、装着部２５には、例えば移動方向Ｙにおける長さが異なる２種類の液体収容体３０（３０Ｍ，３０Ｓ）と、移動方向Ｙにおける長さが異なる２種類のアダプター４０（４０Ｌ，４０Ｍ）とが装着される。なお、液体収容体３０Ｍとアダプター４０Ｍとは移動方向Ｙにおける長さがほぼ等しく、液体収容体３０Ｓは液体収容体３０Ｍよりも移動方向Ｙにおける長さが短く、アダプター４０Ｌはアダプター４０Ｍよりも移動方向Ｙにおける長さが長いものとする。
【００３８】
液体収容体３０は、導出部３４が装着部２５の接続部２６に接続された場合に、液体噴射部２３に液体を供給可能な状態になる。また、アダプター４０は、導出部４４が装着部２５の接続部２６に接続された場合に、液体噴射部２３に液体を供給可能な状態になる。そのため、液体収容体３０及びアダプター４０は、装着部２５に装着されるときには、いずれのサイズであっても、装着部２５の奥まで挿入される。
【００３９】
そのため、液体収容体３０Ｓと、液体収容体３０Ｍ及びアダプター４０Ｍと、アダプター４０Ｌとが装着部２５に装着されると、それぞれの前端位置がずれた状態になる。具体的には、液体収容体３０Ｍ及びアダプター４０Ｍは前端位置が装着部２５の開口の内側に位置する態様となり、液体収容体３０Ｓは前端位置が液体収容体３０Ｍ及びアダプター４０Ｍよりも後方（装着部２５の奥側）に位置する態様となる。また、アダプター４０Ｌは前端位置が装着部２５の開口よりも前方に突出する態様となる。
【００４０】
すなわち、アダプター４０Ｌは、装着部２５に装着された場合に筐体部１２の外側となる前方（移動方向Ｙに沿う方向）に向けて突出する突出部４８を有している。そして、アダプター４０Ｌの注入部４２は、突出部４８の上部に、鉛直方向上方に向けて突出するように配置されている。なお、アダプター４０Ｌを装着部２５に装着すると、注入部４２及び突出部４８が筐体部１２の外に露出した状態になるので、開閉カバー１７を開位置に配置した状態で印刷を行うことになる。
【００４１】
載置部１４が筐体部１２の外に露出する載置位置にあるときに、装着部２５に装着されたアダプター４０Ｌの突出部４８及び注入部４２は、移動方向Ｙにおいて載置部１４よりも筐体部１２に近い位置であって、載置部１４の移動領域の外側となる位置に配置される。
【００４２】
筐体部１２内において装着部２５の開口付近における上部には、装着部２５に対する液体収容体３０の着脱操作を行うための操作空間ＳＡが設けられている。すなわち、操作空間ＳＡは、例えばユーザーが装着部２５に装着された液体収容体３０（３０Ｍ，３０Ｓ）を取り外すために、液体収容体３０の指掛け凹部３５に上方から指を掛ける際に、ユーザーの手を挿入するためのスペースとなる。
【００４３】
そして、アダプター４０Ｍが装着部２５に装着された場合には、アダプター４０Ｍの注入部４２は操作空間ＳＡに配置される。すなわち、アダプター４０Ｍはケース部材４１から上方に突設された注入部４２を有するが、筐体部１２内には注入部４２を収容可能な操作空間ＳＡがあるため、注入部４２と装着部２５との干渉が回避される。
【００４４】
次に、以上のように構成された液体噴射装置１１の作用について説明する。
図２及び図３に示すように、アダプター４０Ｌの注入部４２に先端側が接続される液体供給管５１と、液体供給管５１の基端側が接続される液体貯留体５２と、を備えれば、液体供給管５１及びアダプター４０Ｌを介して、液体貯留体５２に貯留された液体を液体噴射部２３に供給する液体供給システムを構成することができる。なお、液体供給管５１は、可撓性を有するチューブによって構成すれば、液体貯留体５２の配置の自由度を高くすることができるので、好ましい。
【００４５】
こうした液体供給システムを採用する場合、液体貯留体５２は筐体部１２の外に配置することができるので、筐体部１２の大きさに制約を受けることなく、液体収容体３０の液体収容部３３より多くの液体を貯留することができる。また、アダプター４０Ｌも筐体部１２から突出する突出部４８を有するので、筐体部１２の大きさに制約を受けることなく、液体貯留部４３に液体収容体３０の液体収容部３３より多くの液体を貯留することができる。
【００４６】
そして、アダプター４０Ｌが多くの液体を貯留していれば、液体収容体３０に収容された液体を供給する場合よりも多量の印刷作業を、液体収容体３０の交換等によって中断することなく、連続的に行うことができる。
【００４７】
特に、１つの媒体Ｓに対する印刷で消費される液体の量が多い場合には、媒体Ｓに対する印刷の途中で液体収容体３０に収容された液体がなくなると、液体収容体３０を交換するために印刷を中断する必要がある。しかし、印刷を途中で中断してしまうと、中断の前後でインクの発色が変化して、印刷品質が低下してしまうおそれがある。その点、アダプター４０や液体貯留体５２の液体の貯留量を多くすれば、印刷を連続的に行うことができるので、印刷の中断による印刷品質の低下を抑制することができる。
【００４８】
さらに、アダプター４０の注入部４２に液体供給管５１を接続した状態にしておけば、液体貯留体５２からアダプター４０の液体貯留部４３に液体を補給しながら印刷を継続することができるので、より連続的に印刷を行うことができる。
【００４９】
すなわち、本実施形態の液体収容体３０とは筐体部１２内に収容可能な大きさに形成された比較的小型の容器のことであり、液体貯留体５２は液体収容体３０よりも多くの液体を収容することのできる大型の容器にするのが好ましい。
【００５０】
液体貯留体５２は、例えば収容部１３の上などに載置することができる。このようにすれば、液体貯留体５２は載置部１４よりも上方に配置されることになるので、鉛直方向において載置部１４より下側に配置される注入部４２に向けて、液体貯留体５２から液体を流下させることができる。
【００５１】
また、アダプター４０Ｌの注入部４２は、載置位置にある載置部１４よりも移動方向Ｙにおいて筐体部１２に近い位置、すなわち載置位置にある載置部１４及び媒体Ｓよりも後方にある。そのため、液体貯留体５２を筐体部１２よりも後方に配置すれば、液体供給管５１を注入部４２から後方に引き回すことになるので、載置位置において載置部１４に媒体Ｓを載置したり、印刷が終了した媒体Ｓを載置位置にある載置部１４から取り外したりするときに、媒体Ｓやユーザーが注入部４２、液体供給管５１及び液体貯留体５２と接触しにくい。
【００５２】
なお、基端側が液体貯留体５２に接続された液体供給管５１は、アダプター４０Ｍの注入部４２に接続することもできる。この場合には、アダプター４０Ｍの注入部４２に対して、液体供給管５１を上方から接続してもよいし、図３に二点鎖線で示すように、注入部４２に対して、液体供給管５１を前方から接続してもよい。いずれにしても、注入部４２はケース部材４１に突設されているので、液体供給管５１を接続しやすい。そして、注入部４２に対して液体供給管５１を前方から接続するようにすれば、装着部２５の上部に液体供給管５１を挿入するためのスペース（操作空間ＳＡ）がない場合にも、装着部２５に装着されたアダプター４０Ｍの注入部４２に液体供給管５１を接続することができる。
【００５３】
また、図３に二点鎖線で示すように、液体貯留体５２を筐体部１２の側方に載置した場合であっても、装着部２５に装着されたアダプター４０Ｌ，４０Ｍの注入部４２は載置部１４より下側に配置されるので、載置部１４とともに移動する媒体Ｓと注入部４２とが接触しにくい。
【００５４】
加えて、図２及び図３に示すように、装着部２５に装着されたアダプター４０Ｍ，４０Ｌの注入部４２は上カバー１９より下側に位置するので、ユーザーが上カバー１９を開いて筐体部１２内にアクセスする際に、注入部４２及び注入部４２に接続された液体供給管５１に接触しにくい。
【００５５】
さらに、図２に示すように、アダプター４０Ｌの注入部４２に容器５５から液体を注入した後、注入部４２を蓋などで覆って印刷を行うようにしてもよい。この場合には、注入部４２に液体を注入するときに、容器５５からこぼれたり注入部４２から溢れたりした液体が注入部４２に付着するおそれがあるが、注入部４２は載置部１４より下側に配置されるので、注入部４２に付着した液体が媒体Ｓに対して付着しにくい。
【００５６】
なお、本実施形態においては、載置部１４が載置位置にあるときに、アダプター４０Ｌの注入部４２に加えて突出部４８も載置部１４よりも筐体部１２に近い位置にあるが、少なくとも注入部４２が載置部１４よりも筐体部１２に近い位置にあれば、注入部４２と媒体Ｓとの接触が抑制される。ただし、容器５５から注入部４２に液体を注入する際に、こぼれた液体が突出部４８に付くおそれがあるため、突出部４８も載置部１４よりも筐体部１２に近い位置にあれば、液体の付着による媒体Ｓの汚れをより抑制することができる。
【００５７】
上記実施形態によれば、以下のような効果を得ることができる。
（１）アダプター４０は液体を注入可能な注入部４２及び液体を導出可能な導出部４４を有するので、注入部４２を通じて液体を注入することによって、アダプター４０を介して液体噴射部２３に液体を供給することができる。そして、アダプター４０の注入部４２は、鉛直方向において、媒体Ｓを載置する載置部１４よりも下側に配置されるので、媒体Ｓが載置部１４とともに移動する場合にも、注入部４２に接触しにくい。したがって、液体の注入部４２と液体が噴射される媒体Ｓとの接触を抑制することができる。
【００５８】
（２）アダプター４０は、装着部２５に装着された場合に筐体部１２の外側に突出する突出部４８を有するので、この突出部４８に液体貯留部４３を配置することにより、筐体部１２の大きさに制約を受けることなく液体貯留部４３を大きくして、より多くの液体を貯留することができる。また、注入部４２はアダプター４０の突出部４８に配置されているので、筐体部１２の外から注入部４２に液体を注入しやすい。
【００５９】
（３）装着部２５は載置部１４の移動方向Ｙ及び鉛直方向の双方と交差する方向において載置部１４と異なる位置に配置されるので、移動方向Ｙに沿う方向に突出するアダプター４０の突出部４８と、載置部１４とともに移動する媒体Ｓとの接触を抑制することができる。また、注入部４２はアダプター４０の突出部４８に配置されているので、注入部４２と媒体Ｓとの接触を抑制することができるとともに、注入部４２と筐体部１２との干渉が抑制される。
【００６０】
（４）注入部４２は突出部４８から鉛直方向上方に向けて突出しているので、液体貯留部４３の上部まで液体を満たすように液体を注入することができるとともに、液体貯留部４３の上部まで液体が入った状態でアダプター４０が振動した場合にも、注入部４２から液体がこぼれにくい。
【００６１】
（５）載置部１４が筐体部１２の外となる載置位置にあるときに、注入部４２は載置部１４よりも筐体部１２に近い位置にあるので、筐体部１２の外で載置部１４に媒体Ｓを載置する作業を行うときに、筐体部１２の外にある注入部４２と媒体Ｓとが接触しにくい。
【００６２】
（６）装着部２５に液体収容体３０を装着すれば、液体収容体３０に収容された液体を液体噴射部２３に供給することができる。そして、装着部２５の上部には、装着部２５に装着された液体収容体３０を操作するための操作空間ＳＡが設けられているので、この操作空間ＳＡにおいて液体収容体３０の着脱等の操作を行うことができる。また、装着部２５にアダプター４０を装着すれば、アダプター４０を通じて液体噴射部２３に液体を供給することができる。そして、アダプター４０が装着部２５に装着された場合には、注入部４２が操作空間ＳＡに配置されるので、操作空間ＳＡを通じて注入部４２に液体を注入することができる。
【００６３】
（７）液体貯留体５２に基端側が接続された液体供給管５１の先端側を注入部４２に接続することによって、液体貯留体５２からアダプター４０に液体を注入しながら、液体の噴射を継続することができる。そして、アダプター４０の注入部４２は、鉛直方向において、載置部１４より下側に配置されるので、媒体Ｓが注入部４２と接触しにくい。したがって、液体の注入部４２と媒体Ｓとの接触を抑制することができる。
【００６４】
なお、上記各実施形態は以下のように変更してもよい。
・アダプター４０が液体貯留部４３を備えない構成にしてもよい。この場合には、アダプター４０に注入部４２と導出部４４とを繋ぐ液体管路を設けるとよい。なお、この場合、注入部４２、液体管路及び導出部４４はケース部材４１と一体に形成してもよいし、ケース部材４１とは別体として形成されて互いに接続された注入部４２、液体管路及び導出部４４をケース部材４１に装着するようにしてもよい。この構成によれば、注入部４２に液体供給管５１の先端側を接続して、液体供給管５１の基端側が接続された液体貯留体５２から、液体供給管５１、注入部４２、液体管路及び導出部４４を介して液体噴射部２３に液体を供給することができる。なお、この構成を採用する場合には、注入部４２がケース部材４１の前面に配置されていてもよいし、アダプター４０のケース部材４１のサイズを液体収容体３０Ｓと同様の小さなサイズにしてもよい。
【００６５】
・アダプター４０の注入部４２はケース部材４１から突出しなくてもよい。なお、この場合にも、アダプター４０が装着部２５に装着された場合に注入部４２が操作空間ＳＡに面する位置に配置されていれば、注入部４２に接続される液体供給管５１を操作空間ＳＡに配置したり、操作空間ＳＡにおいて注入部４２に対する液体の注入作業を行ったりすることができる。
【００６６】
・アダプター４０の注入部４２は、アダプター４０の取り出し方向（装着部２５の開口側となる前方）に向けて突出していてもよい。なお、アダプター４０の注入部４２をアダプター４０の取り出し方向に突出させる場合には、装着部２５に装着されたアダプター４０のケース部材４１が筐体部１２内に収容される一方で、アダプター４０の注入部４２が筐体部１２の外に突出する態様にしてもよい。この構成によれば、筐体部１２の外で注入部４２に液体を注入することができるので、作業性がよい。
【００６７】
・装着部２５に液体収容体３０を装着せず、アダプター４０のみを装着してもよい。また、装着部２５に装着されるアダプター４０のサイズ（幅方向Ｘにおける長さ、上下方向Ｚにおける長さ、または移動方向Ｙにおける長さ）や数は任意に変更することができる。
【００６８】
・アダプター４０は装着部２５に対して着脱可能な構成でなくてもよく、筐体部１２に装着した後に取り外せないようにしてもよい。
・突出部４８を有するアダプター４０を装着部２５に装着する場合などには、開閉カバー１７を備えなくてもよい。また、装着部２５はその全体が筐体部１２内に収容されていなくてもよく、一部または全部が筐体部１２の外に露出していてもよい。
【００６９】
・操作空間ＳＡは任意の形状に変更することができるし、移動方向Ｙにおける長さが短い液体収容体３０Ｓを装着部２５に装着しない場合や、アダプター４０Ｍの注入部４２がケース部材４１から上方に突出しない場合などには、操作空間ＳＡを設けなくてもよい。なお、操作空間ＳＡは、本実施形態のように、装着部２５の奥側から開口側に向けて開口面積が広くなるように形成することによって、操作空間ＳＡを過度に広くすることなく、装着部２５に装着された液体収容体３０の指掛け凹部３５に対するアクセス性を確保することができるので、好ましい。
【００７０】
・載置部１４の移動方向Ｙは水平方向に限らず、例えば載置位置から斜め上方向または斜め下方向など、水平方向と交差する方向に移動するようにしてもよい。そして、この場合にも、載置部１４の移動領域内において最も低い位置よりも下側に注入部４２を配置すれば、注入部４２と載置部１４に載置された媒体Ｓとの接触を抑制することができる。なお、載置部１４が水平方向と交差する方向に移動する場合などには、載置部１４に載置された媒体Ｓを載置部１４に対して固定する部材（例えば、印刷面を露出させた状態で媒体Ｓを押さえる枠部材など）を用いてもよい。そして、このような部材を載置部１４に対して取り付ける作業を行う場合にも、注入部４２が鉛直方向において載置部１４よりも下側に配置されていれば、注入部４２が取り付け作業のじゃまにならないので、好ましい。
【００７１】
・液体噴射装置１１がキャリッジ２２を備えず、媒体Ｓの幅全体と対応した長尺状の固定された液体噴射部２３を備える、いわゆるフルラインタイプの液体噴射装置に変更してもよい。この場合の液体噴射部２３は、液体を噴射するノズルが形成された複数の単位ヘッド部を並列配置することによって印刷範囲が媒体Ｓの幅全体に亘るようにしてもよいし、単一の長尺ヘッドに媒体Ｓの幅全体に亘るように多数のノズルを配置することによって、印刷範囲が媒体Ｓの幅全体に亘るようにしてもよい。
【００７２】
なお、記録に用いられる記録材は、インク以外の流体（液体や、機能材料の粒子が液体に分散又は混合されてなる液状体、ゲルのような流状体、流体として流して噴射できる固体を含む）ものであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【００７３】
すなわち、流体を噴射することで記録を行う液体噴射装置は、ゲル（例えば物理ゲル）などの流状体を噴射する流状体噴射装置、トナーなどの粉体（粉粒体）を例とする固体を噴射する粉粒体噴射装置（例えばトナージェット式液体噴射装置）であってもよい。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【００７４】
・媒体Ｓは用紙に限らず、プラスチックフィルム、板材、硬質のパネルまたは段ボールなどでもよいし、布やＴシャツなどの衣服であってもよい。なお、本実施形態の液体噴射装置１１は、媒体を載置したまま移動する載置部１４を備えるので、用紙のように可撓性を有するシート状の媒体Ｓに限らず、任意の形状の媒体や可撓性を有さない媒体に対しても印刷を行うことができる。
【符号の説明】
【００７５】
Ｓ…媒体、Ｙ…移動方向、ＳＡ…操作空間、１１…液体噴射装置、１２…筐体部、１４…載置部、２３…液体噴射部、２５…装着部、３０，３０Ｍ，３０Ｓ…液体収容体、４４…導出部、４０，４０Ｌ，４０Ｍ…アダプター、４２…注入部、４３…液体貯留部、４８…突出部、５１…液体供給管、５２…液体貯留体。
【図１】
0006493474.tif 000002
【図２】
0006493474.tif 000003
【図３】
0006493474.tif 000004